Podtech/llm-jp-corpus-v4-ja_patent huggingface dataset:
【手続補正書】
【提出日】令和3年10月20日(2021.10.20)
【手続補正１】
【補正対象書類名】特許請求の範囲
【補正対象項目名】全文
【補正方法】変更
【補正の内容】
【特許請求の範囲】
【請求項１】
ジョブ処理装置と、前記ジョブ処理装置に外部接続されるコントローラとを備える情報処理システムであって、
前記ジョブ処理装置は、
前記ジョブ処理装置が処理する各ジョブのジョブ情報を第１の管理情報として管理する第１の管理手段と、
前記コントローラからの要求に応じて前記第１の管理情報を前記コントローラに送信する送信手段と、を備え、
前記コントローラは、
前記コントローラが前記ジョブ処理装置を用いて出力する各ジョブのジョブ情報を第２の管理情報として管理する第２の管理手段と、
前記ジョブ処理装置に要求を送信し、当該要求に対する応答として前記ジョブ処理装置から前記第１の管理情報を取得する取得手段と、
前記取得した第１の管理情報と前記第２の管理情報とに基づき第３の管理情報を生成する生成手段と、
外部装置からジョブ情報の取得要求を受け付けたことに従って、前記生成された第３の管理情報を前記外部装置に通知する通知手段と、を備え、
前記生成手段は、前記第１の管理情報と前記第２の管理情報とで重複して管理されているジョブ情報に関して、重複を解消する結合処理を行って前記第３の管理情報を生成する
ことを特徴とする情報処理システム。
【請求項２】
前記取得要求を受け付けた場合に、前記コントローラの前記取得手段は、前記ジョブ処理装置に前記要求を送信することを特徴とする請求項１に記載の情報処理システム。
【請求項３】
前記結合処理では、前記第１の管理情報と前記第２の管理情報とで重複して管理されていると判断したジョブ情報について、前記第２の管理情報として記憶されているジョブ情報を含め、前記第１の管理情報として記憶されているジョブ情報を含まないように前記第３の管理情報を生成することで重複を解消することを特徴とする請求項１又は２に記載の情報処理システム。
【請求項４】
前記第１の管理情報及び前記第２の管理情報で管理されるジョブ情報は、ジョブの実行履歴を示すジョブ履歴情報であることを特徴とする請求項１乃至３のいずれか１項に記載の情報処理システム。
【請求項５】
前記ジョブ処理装置は、スキャナとプリンタを有する画像処理装置であることを特徴とする請求項１乃至４のいずれか１項に記載の情報処理システム。
【請求項６】
前記第１の管理手段が管理する第１の管理情報には、コピージョブのジョブ情報、プリントジョブのジョブ情報が少なくとも含まれることを特徴とする請求項５に記載の情報処理システム。
【請求項７】
前記第１の管理手段が管理する第１の管理情報には、更に、ファクスジョブのジョブ情報又はスキャンジョブのジョブ情報が含まれることを特徴とする請求項６に記載の情報処理システム。
【請求項８】
前記コントローラは、前記生成手段により生成された前記第３の管理情報を、Ｊｏｂ  Ｍｏｎｉｔｏｒｉｎｇ  ＭＩＢ形式のデータ集合として管理する第３の管理手段を更に備えることを特徴とする請求項１乃至５のいずれか１項に記載の情報処理システム。
【請求項９】
前記第１の管理手段は、前記第１の管理情報を前記Ｊｏｂ  Ｍｏｎｉｔｏｒｉｎｇ  ＭＩＢ形式のデータ集合として管理し、
前記第２の管理手段は、前記第２の管理情報を前記Ｊｏｂ  Ｍｏｎｉｔｏｒｉｎｇ  ＭＩＢ形式のデータ集合として管理することを特徴とする請求項８に記載の情報処理システム。
【請求項１０】
ジョブ処理装置と、前記ジョブ処理装置に外部接続されるコントローラとを用いて処理されるジョブの情報を外部装置に通知するための制御方法であって、
前記ジョブ処理装置は、
前記ジョブ処理装置が処理する各ジョブのジョブ情報を第１の管理情報として管理する第１の管理工程と、
前記コントローラからの要求に応じて前記第１の管理情報を前記コントローラに送信する送信工程と、を有し、
前記コントローラは、
前記コントローラが前記ジョブ処理装置を用いて出力する各ジョブのジョブ情報を第２の管理情報として管理する第２の管理工程と、
前記ジョブ処理装置に要求を送信し、当該要求に対する応答として前記ジョブ処理装置から前記第１の管理情報を取得する取得工程と、
前記取得した第１の管理情報と前記第２の管理情報とに基づき第３の管理情報を生成する生成工程と、
外部装置からジョブ情報の取得要求を受け付けたことに従って、前記生成された第３の管理情報を前記外部装置に通知する通知工程と、を有し、
前記生成工程では、前記第１の管理情報と前記第２の管理情報とで重複して管理されているジョブ情報に関して、重複を解消する結合処理を行って前記第３の管理情報を生成することを特徴とする制御方法。
【請求項１１】
ジョブ処理装置に外部接続されるコントローラであって、
前記ジョブ処理装置に要求を送信し、当該要求に対する応答として前記ジョブ処理装置が処理する各ジョブのジョブ情報を示す第１の管理情報を取得する取得手段と、
前記コントローラが前記ジョブ処理装置を用いて出力する各ジョブのジョブ情報を第２の管理情報として管理する管理手段と、
前記取得した第１の管理情報と前記管理手段が管理する第２の管理情報とに基づき第３の管理情報を生成する生成手段と、
外部装置からジョブ情報の取得要求を受け付けたことに従って、前記生成された第３の管理情報を前記外部装置に通知する通知手段と、
を有することを特徴とするコントローラ。
【請求項１２】
前記取得要求を受け付けた場合に、前記取得手段は、前記ジョブ処理装置に前記要求を送信することを特徴とする請求項１１に記載のコントローラ。
【手続補正２】
【補正対象書類名】明細書
【補正対象項目名】発明の名称
【補正方法】変更
【補正の内容】
【発明の名称】情報処理システム、制御方法およびコントローラ
【手続補正３】
【補正対象書類名】明細書
【補正対象項目名】０００１
【補正方法】変更
【補正の内容】
【０００１】
本発明は、情報処理システム、制御方法およびコントローラに関する。
【手続補正４】
【補正対象書類名】明細書
【補正対象項目名】０００９
【補正方法】変更
【補正の内容】
【０００９】
本発明の一例である情報処理システムは、ジョブ処理装置と、ジョブ処理装置に外部接続されるコントローラとを備える。
ジョブ処理装置は、ジョブ処理装置が処理する各ジョブのジョブ情報を第１の管理情報として管理する第１の管理手段と、コントローラからの要求に応じて第１の管理情報をコントローラに送信する送信手段と、を備える。コントローラは、コントローラがジョブ処理装置を用いて出力する各ジョブのジョブ情報を第２の管理情報として管理する第２の管理手段と、ジョブ処理装置に要求を送信し、当該要求に対する応答としてジョブ処理装置から第１の管理情報を取得する取得手段と、取得した第１の管理情報と第２の管理情報とに基づき第３の管理情報を生成する生成手段と、外部装置からジョブ情報の取得要求を受け付けたことに従って、生成された第３の管理情報を外部装置に通知する通知手段と、を備える。
生成手段は、第１の管理情報と第２の管理情報とで重複して管理されているジョブ情報に関して、重複を解消する結合処理を行って第３の管理情報を生成する。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
処方箋なしで提供される医療用医薬品のセットであって、
薬剤師により対象の家庭内において発生する可能性のある症状に適合するように、組合せおよび量を管理される医療用医薬品を含むことを特徴とする医療用医薬品のセット。
【請求項２】
前記医療用医薬品の組合せは、前記対象の家庭内の人員構成および既往歴に基づいて決定されることを特徴とする請求項１に記載の医療用医薬品のセット。
【請求項３】
前記医療用医薬品の量は、前記対象の家庭内の人員構成および使用状況に基づいて定期的に必要な量を判定され、一定期間定額で提供されることを特徴とする請求項１または２に記載の医療用医薬品のセット。
【請求項４】
対象の家庭内の人員構成、既往歴を受信して、該対象の家庭用に薬剤師により管理される医療医薬品の組合せと量とを含む医療用医薬品のセット案を送信する送信ステップと、
前記送信された医療用医薬品のセット案に対する承諾または変更希望を受信すると、前記案の医療用医薬品のセットまたは変更された医療用医薬品のセットを送付する薬送付ステップと、
定期的に、前記対象の家庭内の人員構成および使用状況を受信し、前記人員構成及び使用状況に基づき判定された量の前記医療用医薬品の必要分を送付する補充送付ステップと
を備えることを特徴とする医療用医薬品提供方法。
【請求項５】
前記補充送付ステップは、使用者からの使用量の通知を受信して実行されることを特徴とする請求項４に記載の医療用医薬品提供方法。
【請求項６】
前記補充送付ステップは、薬局からの一定期間ごとの聞き取りメールの送付に対する、使用者からの使用量の通知を受信して実行されることを特徴とする請求項５に記載の医療用医薬品提供方法。
【請求項７】
前記補充送付ステップは、前回の聞取りの一定期間に基づいて現在の減少速度で該聞取りの一定期間が経過しても医薬品が不足しない場合は補充しないと判定することを特徴とする請求項６に記載の医療用医薬品提供方法。
【請求項８】
前記補充送付ステップは、前回送付時からの減少量が所定の量を超えているときは補充が必要と判定することを特徴とする請求項４ないし６のいずれかに記載の医療用医薬品提供方法。
【請求項９】
前記医療用医薬品の必要分は、現在の保持量に加えた結果初期保持量になる量であることを特徴とする請求項４ないし８のいずれかに記載の医療用医薬品提供方法。
【請求項１０】
前記医療用医薬品の必要分は、補充した結果で前記初期量を超える量とすることを特徴とする請求項４ないし８のいずれかに記載の医療用医薬品提供方法。
【請求項１１】
医療用医薬品提供方法をコンピュータに実行させるプログラムであって、該医療用医薬品提供方法は、
対象の家庭内の人員構成、既往歴を受信して、該対象の家庭用に薬剤師により管理された医療医薬品の組合せと量とを含む医療用医薬品のセット案を送信する送信ステップと、
前記送信された医療用医薬品のセット案に対する承諾または変更希望を受信すると、前記案の医療用医薬品のセットまたは変更された医療用医薬品のセットを送付する薬送付ステップと、
定期的に、前記対象の家庭内の人員構成および使用状況を受信し、前記人員構成及び使用状況に基づき判定された量の前記医療用医薬品の必要分を送付する補充送付ステップと
を備えることを特徴とするプログラム。
【手続補正２】
【補正対象書類名】明細書
【補正対象項目名】０００７
【補正方法】変更
【補正の内容】
【０００７】
上述の課題を解決するために、本願の請求項１に記載の発明は、処方箋なしで提供される医療用医薬品のセットであって、薬剤師により対象の家庭内において発生する可能性のある症状に適合するように、組合せおよび量を管理される医療用医薬品を含むことを特徴とする。
【手続補正３】
【補正対象書類名】明細書
【補正対象項目名】０００８
【補正方法】変更
【補正の内容】
【０００８】
請求項２に記載の発明は、請求項１に記載の医療用医薬品のセットにおいて、医療用医薬品の組合せは、対象の家庭内の人員構成および既往歴に基づいて決定されることを特徴とする。
【手続補正４】
【補正対象書類名】明細書
【補正対象項目名】０００９
【補正方法】変更
【補正の内容】
【０００９】
請求項３に記載の発明は、請求項１または２に記載の医療用医薬品のセットにおいて、医療用医薬品の量は、対象の家庭内の人員構成および使用状況に基づいて定期的に必要な量を判定され、一定期間定額で提供されることを特徴とする。
【手続補正５】
【補正対象書類名】明細書
【補正対象項目名】００１０
【補正方法】変更
【補正の内容】
【００１０】
請求項４に記載の発明は、医療用医薬品提供方法であって、対象の家庭内の人員構成、既往歴を受信して、所定の家庭用に薬剤師により管理される医療医薬品の組合せと量とを含む医療用医薬品のセット案を送信する送信ステップと、送信された医療用医薬品のセット案に対する承諾または変更希望を受信すると、案の医療用医薬品のセットまたは変更された医療用医薬品のセットを送付する薬送付ステップと、定期的に、所定の家庭内の人員構成および使用状況を受信し、人員構成及び使用状況に基づき判定された量の医療用医薬品の必要分を送付する補充送付ステップとを備えることを特徴とする。
【手続補正６】
【補正対象書類名】明細書
【補正対象項目名】００１３
【補正方法】変更
【補正の内容】
【００１３】
請求項７に記載の発明は、請求項６に記載の医療用医薬品提供方法において、補充送付ステップは、前回の聞取りの一定期間に基づいて現在の減少速度で聞取りの一定期間が経過しても医薬品が不足しない場合は補充しないと判定することを特徴とする。
【手続補正７】
【補正対象書類名】明細書
【補正対象項目名】００１７
【補正方法】変更
【補正の内容】
【００１７】
請求項１１に記載の発明は、プログラムであって、医療用医薬品提供方法をコンピュータに実行させるプログラムであって、医療用医薬品提供方法は、対象の家庭内の人員構成、既往歴を受信して、対象の家庭用に薬剤師により管理された医療医薬品の組合せと量とを含む医療用医薬品のセット案を送信する送信ステップと、送信された医療用医薬品のセット案に対する承諾または変更希望を受信すると、案の医療用医薬品のセットまたは変更された医療用医薬品のセットを送付する薬送付ステップと、定期的に、所定の家庭内の人員構成および使用状況を受信し、人員構成及び使用状況に基づき判定された量の前記医療用医薬品の必要分を送付する補充送付ステップとを備えることを特徴とする。
【手続補正８】
【補正対象書類名】明細書
【補正対象項目名】００１８
【補正方法】変更
【補正の内容】
【００１８】
本発明によると、薬剤師により対象の家庭内において発生する可能性のある症状に適合するように、組合せおよび量を管理される医療用医薬品を含むので、わざわざ医療機関に出向いて時間と費用をかけ、処方箋を入手することを必要とせずに医薬品を服用等により使用して、速やかな症状の緩和や改善を期待することができる。
【手続補正書】
【提出日】令和3年9月24日(2021.9.24)
【手続補正１】
【補正対象書類名】明細書
【補正対象項目名】００７１
【補正方法】変更
【補正の内容】
【００７１】
次に、描画決定部１７５について説明する。
まず、描画決定部１７５が決定する描画パラメーターについて説明する。描画決定部１７５は、ＰＪ記憶部１６０から読み出した描画属性情報１６５と、速度算出部１７４が算出した指示体３の移動速度とに基づいて加重値を算出し、算出した加重値に基づき描画パラメーターを決定する。
図５は、加重値曲線を示す図である。図５の縦軸は、第１加重値ｗ１を示し、横軸は、指示体３の移動速度ｖを示す。加重値とは、指示体３の移動速度が基準の移動速度である場合の線幅又は彩度を基準値とし、指示体３の移動速度に応じて線幅又は彩度を変化させる割合を示す。本実施形態では、基準の移動速度が「０」、すなわち、指示体３が停止している場合の線幅又は彩度を基準値とする。指示体３の移動速度が「０」である場合、第１加重値ｗ１は最大値「１．０」に設定され、指示体３の移動速度がしきい値「Ｖｔｈ」である場合、第１加重値ｗ１は最小値「０．０」に設定される。第１加重値ｗ１は、例えば、指示体３の移動速度「ｖ」と、移動速度のしきい値「Ｖｔｈ」と、ガンマ「γ」とを変数として、以下の式（１）により求めることができる。
ｗ１＝１−（ｖ／Ｖｔｈ）γ・・・（１）
【手続補正２】
【補正対象書類名】明細書
【補正対象項目名】００９２
【補正方法】変更
【補正の内容】
【００９２】
ＰＪ制御部１５０は、撮像データ（ｍ）が第１撮像の撮像データではなく、第２撮像の撮像データである場合（ステップＴ８／ＮＯ）、指示体３の移動速度を算出する（ステップＴ９）。ＰＪ制御部１５０は、撮像データ（ｍ）の１つ前に指示位置を検出した撮像データが第２撮像の撮像データであるか否かを判定する。この撮像データを撮像データ（ｍ−１）と表記する。ＰＪ制御部１５０は、撮像データ（ｍ−１）が第２撮像の撮像データの場合、撮像データ（ｍ−１）と、撮像データ（ｍ）とから検出した指示位置と、これらの撮像データ（ｍ），（ｍ−１）が撮像された時間の差とに基づき非接触時の指示体３の移動速度を算出する。ＰＪ制御部１５０は、算出した指示体３の移動速度を、非接触時の指示体３の移動速度としてＰＪ記憶部１６０に記憶させる（ステップＴ１０）。また、ＰＪ制御部１５０は、撮像データ（ｍ−１）が第１撮像の撮像データであれば、対象を次の撮像データに移行させ、次の撮像データから指示位置を検出する。次の撮像データを撮像データ（ｍ＋１）と表記する。
【手続補正３】
【補正対象書類名】明細書
【補正対象項目名】００９５
【補正方法】変更
【補正の内容】
【００９５】
ＰＪ制御部１５０は、描画像データを生成すると、生成した描画像データを画像処理部１４３に出力する。画像処理部１４３は、ＰＪ制御部１５０から入力された描画像データをフレームメモリー１４５に展開する（ステップＴ１７）。ここで、プロジェクター１００が、画像供給装置２００から供給される画像データを、すでにスクリーンＳＣに投射している場合、フレームメモリー１４５には画像データが展開されている。この場合、画像処理部１４３は、展開済みの画像データに、ＰＪ制御部１５０から入力された描画像データを重畳させる。すなわち、画像処理部１４３は、描画像データを展開予定のフレームメモリー１４５のアドレスに展開済みの画像データを、描画像データに書き替える。
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
情報処理装置に、
特定情報を動的に表示するステップと、
前記特定情報に対応付けられた所定の情報を取得するステップと、
前記特定情報と、当該特定情報に対応付けられた所定の情報とをともに表示するステップと、
ユーザの操作に応答して、前記特定情報を電子商取引プラットフォームに出品する依頼を送信するステップと、
を実行させる情報処理プログラム。
【請求項２】
前記特定情報は２以上であり、前記特定情報に対応付けられた所定の情報は２以上である、請求項１に記載の情報処理プログラム。
【請求項３】
前記情報処理装置に、
前記特定情報が前記情報処理装置の表示画面上で表示される面積に応じて、前記特定情報に対応付けられた所定の情報を変更するステップをさらに実行させる、請求項１または２に記載の情報処理プログラム。
【請求項４】
前記情報処理装置に、
前記特定情報が前記情報処理装置の表示画面上で所定以上の面積で表示される場合に、前記特定情報に対応付けられた所定の情報を表示するステップをさらに実行させる、請求項１〜３のいずれか一項に記載の情報処理プログラム。
【請求項５】
前記情報処理装置に、
前記特定情報が前記情報処理装置の表示画面上最も大きな面積で表示される特定情報についてのみ、当該特定情報に対応付けられた所定の情報を表示するステップをさらに実行させる、請求項１〜４のいずれか一項に記載の情報処理プログラム。
【請求項６】
前記特定情報は商品の画像であり、前記特定情報に対応付けられた所定の情報は商品情報である、請求項１〜５のいずれか一項に記載の情報処理プログラム。
【請求項７】
前記特定情報は商品に付与される識別コードであり、前記特定情報に対応付けられた所定の情報は商品情報である、請求項１〜５のいずれか一項に記載の情報処理プログラム。
【請求項８】
前記商品情報は出品数または落札相場を含む、請求項６または７に記載の情報処理プログラム。
【請求項９】
情報処理装置であって、
特定情報を取得する特定情報取得部と、
前記特定情報を動的に表示させる特定情報表示部と、
前記特定情報に対応付けられた所定情報を取得する所定情報取得部と、
前記特定情報と、当該特定情報に対応付けられた所定の情報とをともに表示させる所定情報表示部と、
ユーザの操作に応答して、前記特定情報を電子商取引プラットフォームに出品する依頼を送信する出品処理部と、
を有する情報処理装置。
【請求項１０】
情報処理装置が、
特定情報を動的に表示するステップと、
前記特定情報に対応付けられた所定の情報を取得するステップと、
前記特定情報と、当該特定情報に対応付けられた所定の情報とをともに表示するステップと、
ユーザの操作に応答して、前記特定情報を電子商取引プラットフォームに出品する依頼を送信するステップと、
を実行する情報処理方法。
【手続補正２】
【補正対象書類名】明細書
【補正対象項目名】０２０５
【補正方法】変更
【補正の内容】
【０２０５】
（付記１−５）
前記情報処理装置に、
ユーザの操作に応答して、商取引で使用する決済サービスを選択するステップをさらに実行させる付記１−１から１−４のいずれかに記載の情報処理プログラム。
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
複数の端末と、ユーザのスケジュールおよび来訪者の受付処理を管理する受付管理装置とがネットワークを介して接続された受付管理システムであって、
前記受付管理装置は、
会議室の予約状況を示す会議室予約情報と、担当者と前記担当者を来訪する来訪者との対応付けを含む訪問予約情報を記憶する記憶部と、
前記担当者のスケジュールを示すスケジュール情報を取得する取得部と、
前記担当者の端末から、会議の設定候補となる候補日時の検索条件の指定を受け付ける受付部と、
前記受付部により選択された候補日時を含む日程調整の依頼を示す依頼情報を生成する生成部と、
前記依頼情報に含まれる候補日時における会議の設定を確定する旨の確定通知を受信する受信部と、
前記受信部により前記確定通知を受信した場合に、当該確定通知が示す候補日時における前記会議室予約情報が示す空き会議室を予約登録するとともに、前記担当者のスケジュール情報および前記訪問予約情報を更新する受付処理部と、
を備えたことを特徴とする受付管理システム。
【請求項２】
前記受付処理部は、前記受信部により前記確定通知を受信した場合に、来訪時における受付処理に関する受付情報を生成すること、
を特徴とする請求項１に記載の受付管理システム。
【請求項３】
前記受付管理システムは、受付端末をさらに含み、
前記受付端末は、
前記受付情報の入力を受け付ける受付部を備え、
前記受付管理システムは、
前記受付部により前記受付情報の入力が受け付けられた場合に、前記ユーザの端末に前記来訪者の来訪を示す来訪メッセージを送信する送信部と、
を備えること、
を特徴とする請求項２に記載の受付管理システム。
【請求項４】
前記受付処理部は、前記訪問予約情報が示す予約時間を所定時間経過した時点で、前記受付端末において前記受付情報の入力が受け付けられない場合に、前記会議室予約情報に登録されている会議室の予約をキャンセル処理すること、
を特徴とする請求項３に記載の受付管理システム。
【請求項５】
前記受付管理装置の前記受付部は、前記担当者の端末から、会議主催者として当該担当者を含む複数の担当者の識別情報の入力を受け付け、
前記受付管理装置は、
前記受付部により複数の担当者の識別情報の入力を受け付けた場合に、前記検索条件に基づき、前記複数の担当者の識別情報が示す担当者全てに共通してスケジュールの予約が入っていない候補日時を抽出する抽出部、
をさらに備え、
前記生成部は、前記抽出部により抽出された候補日時を含む日程調整の依頼を示す依頼情報を生成すること、
を特徴とする請求項１〜４のいずれか１つに記載の受付管理システム。
【請求項６】
前記受付管理装置の前記受付部は、前記担当者の端末から、複数の来訪者の端末へのデータの送信先情報の入力を受け付け、
前記受付管理装置の送信部は、前記生成部により生成された依頼情報へのアクセス情報を、前記送信先情報が示す送信先に送信し、
前記受付管理装置の前記受信部は、前記複数の来訪者の端末から順次、前記依頼情報に含まれる候補日時の中から選択された複数の希望の候補日時を示す希望候補通知を受信し、
前記生成部は、前記受信部により前記希望候補通知を受信した場合に、前記依頼情報が示す候補日時のうち前記希望候補通知に含まれない候補日時を削除すること、
を特徴とする請求項１〜５のいずれか１つに記載の受付管理システム。
【請求項７】
前記受付管理装置の前記受付部は、前記来訪者の端末が、前記受付管理システムのユーザの端末である場合に、前記担当者の端末から、前記来訪者の識別情報の入力を受け付け、
前記取得部は、前記担当者および前記来訪者のスケジュール情報を前記検索条件に基づき複数取得し、
前記生成部は、前記取得部により取得されたスケジュール情報に基づいて候補日時を含む日程調整の依頼を示す依頼情報を生成すること、
を特徴とする請求項１〜６のいずれか１つに記載の受付管理システム。
【請求項８】
複数の端末と、ネットワークを介して接続された前記端末のユーザのスケジュールおよび来訪者の受付処理を管理する受付管理装置であって、
会議室の予約状況を示す会議室予約情報と、担当者と前記担当者を来訪する来訪者との対応付けを含む訪問予約情報を記憶する記憶部と、
前記ユーザである担当者のスケジュールを示すスケジュール情報を取得する取得部と、
前記担当者の端末から、会議の設定候補となる候補日時の検索条件の指定受け付ける受付部と、
前記受付部により選択された候補日時を含む日程調整の依頼情報を生成する生成部と、
前記依頼情報に含まれる候補日時における会議の予約を確定する旨の確定通知を受信する受信部と、
前記受信部により前記確定通知を受信した場合に、当該確定通知が示す候補日時における前記会議室予約情報が示す空き会議室を予約登録するとともに、前記担当者のスケジュール情報および前記訪問予約情報を更新する受付処理部と、
を備えたことを特徴とする受付管理装置。
【請求項９】
複数の端末とネットワークを介して接続された前記端末のユーザのスケジュールおよび来訪者の受付処理を管理する受付管理装置においてユーザのスケジュールを管理する受付管理方法であって、
会議室の予約状況を示す会議室予約情報と、担当者と前記担当者を来訪する来訪者との対応付けを含む訪問予約情報を記憶部に保存する記憶ステップと、
前記ユーザである担当者のスケジュールを示すスケジュール情報を取得する取得ステップと、
前記担当者の端末から、会議の設定候補となる候補日時の検索条件の指定を受け付ける受付ステップと、
前記受付ステップにより選択された候補日時を含む日程調整の依頼情報を生成する生成ステップと、
前記依頼情報に含まれる候補日時における会議の予約を確定する旨の確定通知を受信する受信ステップと、
前記受信ステップにより前記確定通知を受信した場合に、当該確定通知が示す候補日時における前記会議室予約情報が示す空き会議室を予約登録するとともに、前記担当者のスケジュール情報および前記訪問予約情報を更新する受付処理ステップと、
を含むことを特徴とする受付管理方法。
【請求項１０】
複数の端末とネットワークを介して接続された前記端末のユーザのスケジュールおよび来訪者の受付処理を管理する受付管理装置に、
会議室の予約状況を示す会議室予約情報と、担当者と前記担当者を来訪する来訪者との対応付けを含む訪問予約情報を記憶部に保存する記憶機能と、
前記ユーザである担当者のスケジュールを示すスケジュール情報を取得する取得機能と、
前記担当者の端末から、会議の設定候補となる候補日時の検索条件の指定を受け付ける受付機能と、
前記受付機能により選択された候補日時を含む日程調整の依頼情報を生成する生成機能と、
前記依頼情報に含まれる候補日時における会議の予約を確定する旨の確定通知を受信する受信機能と、
前記受信機能により前記確定通知を受信した場合に、当該確定通知が示す候補日時における前記会議室予約情報が示す空き会議室を予約登録するとともに、前記担当者のスケジュール情報および前記訪問予約情報を更新する受付処理機能と、
を実現させることを特徴とする受付管理プログラム。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
第１視聴ユーザを含む複数の視聴ユーザにアクターの動きに基づいて生成されるキャラクタオブジェクトのアニメーションを含む動画を配信する動画配信システムであって、
一又は複数のコンピュータプロセッサと、
前記キャラクタオブジェクトと関連づけて前記動画に表示可能な複数の装飾オブジェクトのうち前記第１視聴ユーザによる表示要求が可能な第１装飾オブジェクトを識別するオブジェクト識別情報を前記第１視聴ユーザを識別する第１視聴ユーザ識別情報と対応付ける第１リストと、前記複数の装飾オブジェクトのうち前記キャラクタオブジェクトと関連づけて前記動画に表示される候補である一又は複数の候補装飾オブジェクトを含む第２リストと、を記憶する一又は複数のストレージと、
を備え、
前記一又は複数のコンピュータプロセッサは、コンピュータ読み取り可能な命令を実行することにより、
前記第１視聴ユーザから前記第１装飾オブジェクトの表示を要求する第１表示要求を受け付けたことに応じて、前記第１装飾オブジェクトを前記一又は複数の候補装飾オブジェクトの一つとして前記第２リストに追加し、
前記第２リストから前記第１装飾オブジェクトが選択された場合に、前記動画に前記第１装飾オブジェクトを表示させる、
動画配信システム。
【請求項２】
前記一又は複数のコンピュータプロセッサは、
前記第１視聴ユーザから前記第１装飾オブジェクトを購入する購入要求を受け付け、
前記購入要求に応じて前記第１リストに前記第１装飾オブジェクトを追加する、
請求項１に記載の動画配信システム。
【請求項３】
前記第１視聴ユーザから前記第１装飾オブジェクトの表示を要求する前記第１表示要求を受け付けたことに応じて、前記第２リストに前記第１装飾オブジェクトを追加するとともに前記第１リストから前記第１装飾オブジェクトを削除し、
前記第１装飾オブジェクトが前記動画の配信終了時までに選択されなかった場合に、前記第１リストへ前記第１装飾オブジェクトを追加する、
請求項１又は２のいずれか１項に記載の動画配信システム。
【請求項４】
前記第１表示要求は、前記第１装飾オブジェクトを識別する前記オブジェクト識別情報を含む、
請求項１から３のいずれか１項に記載の動画配信システム。
【請求項５】
前記第１表示要求は、前記動画の配信中に受け付けられる、
請求項１から４のいずれか１項に記載の動画配信システム。
【請求項６】
前記第１装飾オブジェクトは、前記キャラクタオブジェクトの特定の部位と関連付けられて前記動画に表示される、
請求項１から５のいずれか１項に記載の動画配信システム。
【請求項７】
前記第２リストからの前記第１装飾オブジェクトの選択は、前記アクターによってなされる、
請求項１から６のいずれか１項に記載の動画配信システム。
【請求項８】
前記一又は複数のコンピュータプロセッサは、前記第２リストに含まれている前記一又は複数の候補装飾オブジェクトの各々を含む選択画面を前記アクターが利用するディスプレイに表示する、
請求項７に記載の動画配信システム。
【請求項９】
前記第２リストからの前記第１装飾オブジェクトの選択は、前記動画の配信をサポートするサポーターによってなされる、
請求項１から８のいずれか１項に記載の動画配信システム。
【請求項１０】
前記一又は複数のコンピュータプロセッサは、前記第２リストに含まれている前記一又は複数の候補装飾オブジェクトのうちの少なくとも一つを含む選択画面を前記サポーターが利用するサポーターコンピュータに表示する、
請求項９に記載の動画配信システム。
【請求項１１】
前記選択画面は、前記一又は複数の候補装飾オブジェクトの各々の種類を示す情報を含む、
請求項８又は１０に記載の動画配信システム。
【請求項１２】
前記選択画面は、前記一又は複数の候補装飾オブジェクトの各々の画像を含む、
請求項８、１０又は１１に記載の動画配信システム。
【請求項１３】
前記選択画面は、前記一又は複数の候補装飾オブジェクトの各々について、各候補装飾オブジェクトが関連付けられている前記キャラクタオブジェクトの特定の部位を示す情報を含む、
請求項８、１０から１２のいずれか１項に記載の動画配信システム。
【請求項１４】
前記選択画面は、前記第１視聴ユーザが前記複数の装飾オブジェクトのいずれかの表示の要求を行った回数を示す情報を含む、
請求項８、１０から１３のいずれか１項に記載の動画配信システム。
【請求項１５】
前記選択画面は、前記第１視聴ユーザが前記アクターの前記キャラクタオブジェクトを含む動画を視聴した回数を示す情報を含む、
請求項８、１０から１４のいずれか１項に記載の動画配信システム。
【請求項１６】
一又は複数のコンピュータプロセッサがコンピュータ読み取り可能な命令を実行することにより、第１視聴ユーザを含む複数の視聴ユーザにアクターの動きに基づいて生成されるキャラクタオブジェクトのアニメーションを含む動画を配信する動画配信方法であって、
前記キャラクタオブジェクトと関連づけて前記動画に表示可能な複数の装飾オブジェクトのうち前記第１視聴ユーザによる表示要求が可能な第１装飾オブジェクトを識別するオブジェクト識別情報を前記第１視聴ユーザを識別する第１視聴ユーザ識別情報と対応付ける第１リストを記憶する工程と、
前記複数の装飾オブジェクトのうち前記キャラクタオブジェクトと関連づけて前記動画に表示される候補である一又は複数の候補装飾オブジェクトを含む第２リストを記憶する工程と、
前記第１視聴ユーザから前記第１装飾オブジェクトの表示を要求する第１表示要求を受け付けたことに応じて、前記第１装飾オブジェクトを前記一又は複数の候補装飾オブジェクトの一つとして前記第２リストに追加する工程と、
前記第２リストから前記第１装飾オブジェクトが選択された場合に、前記動画に前記第１装飾オブジェクトを表示させる工程と、
を備える動画配信方法。
【請求項１７】
第１視聴ユーザを含む複数の視聴ユーザにアクターの動きに基づいて生成されるキャラクタオブジェクトのアニメーションを含む動画を配信する動画配信プログラムであって、
一又は複数のコンピュータプロセッサに、
前記キャラクタオブジェクトと関連づけて前記動画に表示可能な複数の装飾オブジェクトのうち前記第１視聴ユーザによる表示要求が可能な第１装飾オブジェクトを識別するオブジェクト識別情報を前記第１視聴ユーザを識別する第１視聴ユーザ識別情報と対応付ける第１リストを記憶する工程と、
前記複数の装飾オブジェクトのうち前記キャラクタオブジェクトと関連づけて前記動画に表示される候補である一又は複数の候補装飾オブジェクトを含む第２リストを記憶する工程と、
前記第１視聴ユーザから前記第１装飾オブジェクトの表示を要求する第１表示要求を受け付けたことに応じて、前記第１装飾オブジェクトを前記一又は複数の候補装飾オブジェクトの一つとして前記第２リストに追加する工程と、
前記第２リストから前記第１装飾オブジェクトが選択された場合に、前記動画に前記第１装飾オブジェクトを表示させる工程と、
を実行させる動画配信プログラム。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
第１ポリマーシートと、
前記第１ポリマーシート上に配置された第１電流コレクタと、
前記第１電流コレクタ上に配置された第１半固体電極物質と、
第２ポリマーシートと、
前記第２ポリマーシート上に配置された第２電流コレクタと、
前記第２電流コレクタ上に配置された第２半固体電極物質と、
前記第１ポリマーシートと前記第２ポリマーシートとの間に配置されたセパレータであって、前記セパレータは、前記第１ポリマーシートと前記第２ポリマーシートとの間に配置され、前記セパレータは、前記第１半固体電極物質及び前記第２半固体電極物質を越えて延在し、かつ、前記第２半固体電極物質から前記第１半固体電極物質を隔離するように構成される、セパレータと、を備える装置。
【請求項２】
前記第１電流コレクタは前記第１ポリマーシートに結合され、前記第２電流コレクタは前記第２ポリマーシートに結合される、請求項１に記載の装置。
【請求項３】
前記第１ポリマーシートは前記第２ポリマーシートに熱融着可能である、請求項１に記載の装置。
【請求項４】
前記セパレータは、前記第１ポリマーシートの少なくとも一部に結合されて前記第１半固体電極物質の周囲にシールを形成する、請求項１に記載の装置。
【請求項５】
前記セパレータは、前記第２ポリマーシートの少なくとも一部に結合されて前記第２半固体電極物質の周囲にシールを形成する、請求項１に記載の装置。
【請求項６】
前記第１ポリマーシート及び前記第１電流コレクタは第１多層ラミネートシートの層であり、前記第２ポリマーシート及び前記第２電流コレクタは第２多層ラミネートシートの層である、請求項１に記載の装置。
【請求項７】
少なくとも部分的に第１容積を規定する壁及び底面を含む第１ポリマーシートと、
第２ポリマーシートと、
前記第１ポリマーシートに結合されたセパレータであって、前記第２ポリマーシートにさらに結合され、かつ、前記セパレータと前記第２ポリマーシートとの間に少なくとも部分的に第２容積を規定するセパレータと、
前記第１容積に配置され、かつ、陽極タブに電子的に結合される陽極であって、前記陽極タブは前記第１容積の外側に延在する、陽極と、
活性物質及び液体電解質の導電材料を含む半固体陰極であって、前記半固体陰極は、前記第２容積に配置され、かつ、陰極タブに電子的に結合され、前記陰極タブは前記第２容積の外側に延在する、半固体陰極と、を備える装置。
【請求項８】
前記第１ポリマーシートは前記第２ポリマーシートに熱融着可能である、請求項７に記載の装置。
【請求項９】
前記セパレータは、前記第１ポリマーシートの少なくとも一部に結合されて前記陽極の周囲にシールを形成する、請求項７に記載の装置。
【請求項１０】
前記セパレータは、前記第２ポリマーシートの少なくとも一部に結合されて前記半固体陰極の周囲にシールを形成する、請求項７に記載の装置。
【請求項１１】
前記第１ポリマーシート上に配置された陽極電流コレクタをさらに備える、請求項７に記載の装置。
【請求項１２】
前記第２ポリマーシート上に配置された陰極電流コレクタをさらに備える、請求項７に記載の装置。
【請求項１３】
少なくとも部分的に第１領域を規定する壁及び底面を含む第１フィルムと、
第２フィルムと、
前記第１フィルムに結合されたセパレータであって、前記セパレータは、前記セパレータ及び前記第１フィルムの間に前記第１領域を少なくとも部分的に規定し、前記セパレータは、前記第２フィルムにさらに結合され、かつ、前記セパレータと前記第２フィルムとの間に第２領域を少なくとも部分的に規定する、セパレータと、
前記第１領域に配置される半固体陽極と、
前記第２領域に配置される半固体陰極と、を備え、
前記セパレータは、前記半固体陽極及び前記半固体陰極を越えて延在し、かつ、前記半固体陽極から前記半固体陰極を隔離する、装置。
【請求項１４】
前記第１フィルムは前記第２フィルムに熱融着可能である、請求項１３に記載の装置。
【請求項１５】
前記第１フィルム及び前記第２フィルムは両方とも１以上のポリマーから構成される、請求項１３に記載の装置。
【請求項１６】
前記セパレータは、前記第１フィルムの少なくとも一部に結合されて前記半固体陽極の周囲にシールを形成する、請求項１３に記載の装置。
【請求項１７】
前記セパレータは、前記第２フィルムの少なくとも一部に結合されて前記半固体陰極の周囲にシールを形成する、請求項１３に記載の装置。
【請求項１８】
前記第１フィルム上に配置された陽極電流コレクタをさらに備える、請求項１３に記載の装置。
【請求項１９】
前記第２フィルム上に配置された陰極電流コレクタをさらに備える、請求項１３に記載の装置。
【請求項２０】
前記半固体陽極に電子的に結合され、かつ、前記第１領域の外側に延在する陽極タブをさらに備える、請求項１３に記載の装置。
【請求項２１】
前記半固体陰極に電子的に結合され、かつ、前記第２領域の外側に延在する陰極タブをさらに備える、請求項１３に記載の装置。
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
複数の素線を撚り合わせた撚線よりなり、
前記撚線の軸線方向に交差する断面が、扁平形状よりなる扁平部と、
前記扁平部よりも扁平度の低い低扁平部と、を軸線方向に連続して有することを特徴とする電線導体。
【請求項２】
前記低扁平部においては、前記扁平部よりも、断面における前記素線の円形からの変形率が小さくなっていることを特徴とする請求項１に記載の電線導体。
【請求項３】
軸線方向に沿って、前記扁平部が中央部に設けられ、前記低扁平部が、該扁平部の両端に設けられていることを特徴とする請求項１または２に記載に電線導体。
【請求項４】
前記低扁平部は、断面円形であることを特徴とする請求項１から３のいずれか１項に記載の電線導体。
【請求項５】
前記低扁平部は、断面が扁平形状よりなり、前記扁平部と扁平度が異なっていることを特徴とする請求項１から３のいずれか１項に記載の電線導体。
【請求項６】
前記扁平部の断面における前記素線の円形からの変形率が、前記扁平部の外周に面する部位において、１０％以下であることを特徴とする請求項１から５のいずれか１項に記載の電線導体。
【請求項７】
前記扁平部の断面において、前記素線を２本以上収容可能な連続した空隙を有することを特徴とする請求項１から６のいずれか１項に記載の電線導体。
【請求項８】
請求項１から７のいずれか１項に記載の電線導体と、
前記電線導体の外周を被覆する絶縁体と、を有することを特徴とする被覆電線。
【請求項９】
前記電線導体の軸線方向に沿って、前記扁平部が中央部に設けられ、前記低扁平部が、該扁平部の両端に設けられており、
前記低扁平部に、前記被覆電線以外の部材が取り付けられていることを特徴とする請求項８に記載の被覆電線。
【請求項１０】
請求項８または９に記載の被覆電線を含んでなることを特徴とするワイヤーハーネス。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
第２端末の位置を記憶し、第１端末が募集するゲームに応募する第２端末の位置が過去に所定の位置条件を満たしていた場合に、第２端末に対し前記ゲームへの参加を許可する情報処理装置。
【請求項２】
第２端末の現在位置に基づいて、第２端末に対して前記ゲームのプレイに使用されるパラメータを設定する、請求項１に記載の情報処理装置。
【請求項３】
前記パラメータは、第２端末の現在位置が前記位置条件を満たす場合に、第２端末の現在位置が前記位置条件を満たさない場合と比較して、有利になるように設定される、請求項２に記載の情報処理装置。
【請求項４】
コンピュータが、第２端末の位置を記憶し、
コンピュータが、第１端末が募集するゲームに応募する第２端末の位置が過去に所定の位置条件を満たしていた場合に、第２端末に対し前記ゲームへの参加を許可する、情報処理方法。
【請求項５】
第２端末の位置を記憶するステップと、
第１端末が募集するゲームに応募する第２端末の位置が過去に所定の位置条件を満たしていた場合に、第２端末に対し前記ゲームへの参加を許可するステップと、をコンピュータに実現させるプログラム。
【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
方法であって、
電子デバイスによって、着信音声通信要求のインジケーションを受信することと、
前記電子デバイスと通信することが可能な１つまたは複数のデバイスを識別することと、前記１つまたは複数のデバイスの各々は、１つまたは複数のオーディオ信号を取得することが可能で、優先度に関連付けられたセンサを含み、
前記１つまたは複数のデバイスにおいて、そのそれぞれのセンサを介してオーディオ信号を取得することと、
前記１つまたは複数のデバイスによって取得された前記オーディオ信号に基づくセンサ情報を取得することと、
前記取得されたセンサ情報および前記関連付けられた優先度に基づいて、前記１つまたは複数のデバイスのうちの１つのデバイスを選択することと、
前記着信音声通信要求を示す通知を出力するために、前記選択されたデバイスに信号を提供することと、
を備える、方法。
【請求項２】
前記関連付けられた優先度は、前記１つまたは複数のデバイスのうちの前記１つのデバイスの前記選択についての選好を示す、請求項１に記載の方法。
【請求項３】
前記オーディオ信号は、音声を示し、前記音声を認識することをさらに備える、請求項１に記載の方法。
【請求項４】
前記センサ情報は、前記認識された音声を含み、前記１つまたは複数のデバイスのうちの前記１つのデバイスを前記選択することは、前記認識された音声に基づく、請求項３に記載の方法。
【請求項５】
前記関連付けられた優先度は、前記認識された音声に基づく人物についての選好を示す、請求項３に記載の方法。
【請求項６】
方法であって、
電子デバイスによって、着信音声通信要求のインジケーションを受信することと、
前記電子デバイスと通信することが可能な１つまたは複数のデバイスを識別することと、前記１つまたは複数のデバイスの各々は、１つまたは複数のイメージを取得することが可能で、優先度に関連付けられたセンサを含み、
前記１つまたは複数のデバイスにおいて、そのそれぞれのセンサを介してイメージを取得することと、
前記１つまたは複数のデバイスによって取得された前記イメージに基づくセンサ情報を取得することと、
前記取得されたセンサ情報および前記関連付けられた優先度に基づき、前記１つまたは複数のデバイスのうちの１つのデバイスを選択することと、
前記着信音声通信要求を示す通知を出力するために、前記デバイスに信号を提供することと、
を備える、方法。
【請求項７】
前記関連付けられた優先度は、前記１つまたは複数のデバイスのうちの前記１つのデバイスの前記選択についての選好を示す、請求項６に記載の方法。
【請求項８】
前記イメージは、人物を示し、前記人物を認識することをさらに備える、請求項６に記載の方法。
【請求項９】
前記センサ情報は、前記認識された人物を含み、前記１つまたは複数のデバイスのうちの前記１つのデバイスを前記選択することは、前記認識された人物に基づく、請求項８に記載の方法。
【請求項１０】
前記関連付けられた優先度は、前記認識された人物についての選好を示す、請求項８に記載の方法。
【請求項１１】
電子デバイスであって、
ネットワークインターフェースと、
メモリと、
前記ネットワークインターフェースおよび前記メモリと通信するプロセッサと、
を備え、前記プロセッサは、
着信音声通信要求のインジケーションを受信することと、
前記電子デバイスと通信することが可能な１つまたは複数のデバイスを識別することと、前記１つまたは複数のデバイスの各々は、１つまたは複数のオーディオ信号を取得することが可能で、優先度に関連付けられたセンサを含み、
そのそれぞれのセンサを介してオーディオ信号を取得するよう前記１つまたは複数のデバイスのうちの少なくとも１つに要求することと、
前記１つまたは複数のデバイスによって取得された前記オーディオ信号に基づくセンサ情報を取得することと、
前記取得されたセンサ情報および前記関連付けられた優先度に基づいて、前記１つまたは複数のデバイスのうちの１つのデバイスを選択することと、
前記着信音声通信要求を示す通知を出力するために、前記選択されたデバイスに信号を提供することと、
を行わせるように構成される、電子デバイス。
【請求項１２】
前記関連付けられた優先度は、前記１つまたは複数のデバイスのうちの前記１つのデバイスの前記選択についての選好を示す、請求項１１に記載の電子デバイス。
【請求項１３】
前記オーディオ信号は、音声を示し、前記センサ情報は、前記音声を認識することを示す情報を含む、請求項１１に記載の電子デバイス。
【請求項１４】
前記１つまたは複数のデバイスのうちの前記１つのデバイスを前記選択することは、前記認識された音声に基づく、請求項１３に記載の電子デバイス。
【請求項１５】
前記関連付けられた優先度は、前記認識された音声に基づく人物についての選好を示す、請求項１３に記載の電子デバイス。
【請求項１６】
電子デバイスであって、
ネットワークインターフェースと、
メモリと、
前記ネットワークインターフェースおよび前記メモリと通信するプロセッサと、
を備え、前記プロセッサは、
着信音声通信要求のインジケーションを受信することと、
前記電子デバイスと通信することが可能な１つまたは複数のデバイスを識別することと、前記１つまたは複数のデバイスの各々は、１つまたは複数のイメージを取得することが可能で、優先度に関連付けられたセンサを含み、
そのそれぞれのセンサを介してイメージを取得するよう前記１つまたは複数のデバイスのうちの少なくとも１つに要求することと、
前記１つまたは複数のデバイスによって取得された前記イメージに基づくセンサ情報を取得することと、
前記取得されたセンサ情報および前記関連付けられた優先度に基づき、前記１つまたは複数の識別されたデバイスのうちの１つのデバイスを選択することと、
前記着信音声通信要求を示す通知を出力するために、前記デバイスに信号を提供することと、
を行わせるように構成される、電子デバイス。
【請求項１７】
前記関連付けられた優先度は、前記１つまたは複数のデバイスのうちの前記１つのデバイスの前記選択についての選好を示す、請求項１６に記載の電子デバイス。
【請求項１８】
前記イメージは、人物を示し、前記センサ情報は、前記人物を認識することを示す情報含む、請求項１６に記載の電子デバイス。
【請求項１９】
前記１つまたは複数のデバイスのうちの前記１つのデバイスを前記選択することは、前記認識された人物に基づく、請求項１８に記載の電子デバイス。
【請求項２０】
前記関連付けられた優先度は、前記認識された人物についての選好を示す、請求項１８に記載の電子デバイス。
【手続補正書】
【提出日】令和3年7月4日(2021.7.4)
【手続補正１】
【補正対象書類名】特許請求の範囲
【補正対象項目名】全文
【補正方法】変更
【補正の内容】
【特許請求の範囲】
【請求項１】
駐車場を管理する駐車場管理システムであって、
前記駐車場に設置され、ユーザが、そのユーザの車両の前記駐車場からの出庫時に、駐車料金を計算する計算機能を有する精算機と、
決済サーバと
を含み、
ユーザは、出庫時に、駐車料金を電子決済方法で精算する場合に、通信端末を操作し、
その通信端末は、ユーザによって操作されると、精算リクエストを前記精算機に送信し、
その精算機は、前記精算リクエストを受信すると、駐車料金の計算結果についての電子決済リクエストを前記決済サーバに送信し、
その決済サーバは、前記電子決済リクエストを受信すると、前記駐車料金についての電子決済を行う駐車場管理システム。
【請求項２】
前記通信端末は、前記精算機との間で近距離無線通信を行い、それにより、前記通信端末は、ユーザが前記精算機の近傍に居ることを条件に、前記精算機を用いて前記電子決済を行う請求項１に記載の駐車場管理システム。
【請求項３】
前記通信端末は、前記精算機との間の双方向通信を行う際に、前記精算機との間で、ユーザに関する同じ固有情報を共有することにより、前記精算機と前記通信端末との紐付けを行う請求項１または２に記載の駐車場管理システム。
【請求項４】
前記精算機は、前記通信端末から信号を受信すると、その通信端末以外の通信端末からの信号の受信を禁止する請求項１ないし３のいずれかに記載の駐車場管理システム。
【請求項５】
前記駐車場は、複数の駐車位置を有し、
前記精算機は、駐車位置ごとに、駐車車両の有無を管理し、
前記通信端末は、前記出庫時に、前記駐車場における複数の駐車位置のうちユーザによって選択された選択駐車位置を識別するための識別情報を前記精算機に送信し、
その精算機は、前記精算リクエストと前記識別情報とを受信すると、その識別情報によって識別される前記選択駐車位置について駐車時間を計算して前記駐車料金を計算する請求項１ないし４のいずれかに記載の駐車場管理システム。
【請求項６】
請求項１ないし５のいずれかに記載の通信端末としてコンピュータを機能させるためのプログラム。
【請求項７】
請求項１ないし５のいずれかに記載の管理サーバとしてコンピュータを機能させるためのプログラム。
【請求項８】
請求項１ないし５のいずれかに記載の精算機としてコンピュータを機能させるためのプログラム。
【請求項９】
請求項６ないし８のいずれかに記載のプログラムをコンピュータ読み取り可能に記録した記録媒体。